(57)【特許請求の範囲】
【請求項１】
電話番号を記憶するメモリを有する携帯電話機の発信システムにおいて、
前記メモリを２つに分けた一方に、複数の桁数を有するメモリ番号をパラメータとして複数の電話番号を有し、キーボードの入力数キーの操作でメモリ番号に該当する電話番号の呼出を行うためのメモリダイヤルと、
前記メモリを２つに分けた他方に、前記メモリダイヤルで用いたメモリ番号以外のメモリ番号で最下位の桁の数が「０」から「９」までのメモリ番号に対して、前記メモリダイヤルに記憶されているメモリ番号から選択された最大１０件のメモリ番号を記憶する選択メモリダイヤルと、
入力数キーの操作で、前記メモリダイヤルから最大１０件のメモリ番号を選択し、選択したメモリ番号を最下位の桁の数が「０」から「９」までのメモリ番号に対応して前記選択メモリダイヤルに記憶させるメモリ番号選択部と、
「０」から「９」の入力数キーを前記選択メモリダイヤルのメモリ番号の最下位の桁の数にそれぞれ対応させ、「０」から「９」の入力数キーの１つを１回だけ所定時間以上押下する操作だけで、前記選択メモリダイヤルから最下位の桁の数が「０」から「９」までの該当するメモリ番号を選択し、前記メモリダイヤルに対して選択したメモリ番号に該当する電話番号の呼び出しを行わせる選択メモリ番号発信部とを備えることを特徴とする携帯電話機の発信システム。
【請求項２】
さらに、制御部が設けられ、前記制御部は、キーボードの「０」から「９」の入力数キー以外の任意のキー操作で、１回の短押しを行う場合には前記選択メモリ番号発信部に対して選択したメモリ番号に該当する電話番号の呼び出しを行わせる動作を制御し、２回の短押しを行う場合には前記メモリ番号選択部に対してメモリ番号を選択し前記選択メモリダイヤルに記憶させる動作を制御し、前記選択メモリ番号発信部が電話番号の呼び出しを行う場合には呼び出しを行う電話番号を表示し、前記メモリ番号選択部がメモリ番号を選択する場合には選択を行うメモリ番号を表示することを特徴とする、請求項１に記載の携帯電話機の発信システム。
【請求項３】
電話番号を記憶するメモリを有する携帯電話機の発信システムにおいて、
前記メモリを２つに分けた一方に、複数の桁数を有するメモリ番号をパラメータとして複数の電話番号を有し、キーボードの入力数キーの操作でメモリ番号に該当する電話番号の呼出を行うためのメモリダイヤルと、
前記メモリを２つに分けた他方に、前記メモリダイヤルで用いたメモリ番号以外のメモリ番号で最下位の桁の数が「０」から「９」までのメモリ番号に対して、前記メモリダイヤルに記憶されている電話番号から選択された最大１０件の電話番号を記憶する選択メモリダイヤルと、
入力数キーの操作で、前記メモリダイヤルから最大１０件の電話番号を選択し、選択した電話番号を最下位の桁の数が「０」から「９」までのメモリ番号に対応して前記選択メモリダイヤルに記憶させる電話番号選択部と、
「０」から「９」の入力数キーを前記選択メモリダイヤルのメモリ番号の最下位の桁の数にそれぞれ対応させ、「０」から「９」の入力数キーの１つを１回だけ所定時間以上押下する操作だけで、前記選択メモリダイヤルから最下位の桁の数が「０」から「９」までの該当するメモリ番号を選択し、該当する電話番号の呼び出しを行わせる選択電話番号発信部とを備えることを特徴とする携帯電話機の発信システム。
【請求項４】
さらに、制御部が設けられ、前記制御部は、キーボードの「０」から「９」の入力数キー以外の任意のキー操作で、１回の短押しを行う場合には前記選択電話番号発信部に対して選択した電話番号の呼び出しを行わせる動作を制御し、２回の短押しを行う場合には前記電話番号選択部に対してメモリ番号を選択し前記選択メモリダイヤルに記憶させる動作を制御し、前記選択電話番号発信部が電話番号の呼び出しを行う場合には呼び出しを行う電話番号を表示し、前記電話番号選択部が電話番号を選択する場合には選択を行う電話番号を表示することを特徴とする、請求項３に記載の携帯電話機の発信システム。
【請求項５】
電話番号を記憶するメモリを有する携帯電話機の発信システムにおいて、
前記メモリを３つに分けた第１の部分に、複数の桁数を有するメモリ番号をパラメータとして複数の電話番号を有し、キーボードの入力数キーの操作でメモリ番号に該当する電話番号の呼出を行うためのメモリダイヤルと、
前記メモリを３つに分けた第２の部分に、前記メモリダイヤルで用いたメモリ番号以外のメモリ番号で最下位の桁の数が「０」から「９」までのメモリ番号に対して、前記メモリダイヤルに記憶されているメモリ番号から選択された最大１０件のメモリ番号を記憶する第１の選択メモリダイヤルと、
前記メモリを３つに分けた第３の部分に、前記メモリダイヤルで用いたメモリ番号以外のメモリ番号で最下位の桁の数が「０」から「９」までのメモリ番号で前記第１の選択メモリダイヤルのメモリ番号と異なるメモリ番号に対して、前記メモリダイヤルに記憶されているメモリ番号から選択された最大１０件の電話番号を記憶する第２の選択メモリダイヤルと、
入力数キーの操作で、前記メモリダイヤルから最大１０件のメモリ番号を選択し、選択したメモリ番号を最下位の桁の数が「０」から「９」までのメモリ番号に対応して前記第１の選択メモリダイヤルに記憶させるメモリ番号選択部と、
入力数キーの操作で、前記メモリダイヤルから最大１０件の電話番号を選択し、選択した電話番号を最下位の桁の数が「０」から「９」までのメモリ番号に対応して前記第２の選択メモリダイヤルに記憶させる電話番号選択部と、
「０」から「９」の入力数キーを前記第１の選択メモリダイヤルのメモリ番号の最下位の桁の数にそれぞれ対応させ、「０」から「９」の入力数キーの１つを１回だけ所定時間以上押下する操作だけで、前記第１の選択メモリダイヤルから最下位の桁の数が「０」から「９」までの該当するメモリ番号を選択し、前記メモリダイヤルに対して選択したメモリ番号に該当する電話番号の呼び出しを行わせる選択メモリ番号発信部と、
「０」から「９」の入力数キーを前記選択メモリダイヤルのメモリ番号の最下位の桁の数にそれぞれ対応させ、「０」から「９」の入力数キーの１つを１回だけ所定時間以上押下する操作だけで、前記第２の選択メモリダイヤルから最下位の桁の数が「０」から「９」までの該当するメモリ番号を選択し、該当する電話番号の呼び出しを行わせる選択電話番号発信部と、
キーボードの「０」から「９」の入力数キー以外の任意のキー操作で、１回の短押しを行う場合には前記選択メモリ番号発信部に対して選択したメモリ番号に該当する電話番号の呼び出しを行わせる動作を制御し、２回の短押しを行う場合には前記選択電話番号発信部に対して選択した電話番号の呼び出しを行わせる動作を制御し、３回の短押しを行う場合には前記メモリ番号選択部に対してメモリ番号を選択し前記選択メモリダイヤルに記憶させる動作を制御し、４回の短押しを行う場合には前記電話番号選択部に対してメモリ番号を選択し前記選択メモリダイヤルに記憶させる動作を制御する制御部とを備えることを特徴とする携帯電話機の発信システム。
【請求項６】
前記制御部は、前記選択メモリ番号発信部が電話番号の呼び出しを行う場合には呼び出しを行う電話番号を表示し、前記メモリ番号選択部がメモリ番号を選択する場合には選択を行うメモリ番号を表示し、前記選択電話番号発信部が電話番号の呼び出しを行う場合には呼び出しを行う電話番号を表示し、前記電話番号選択部が電話番号を選択する場合には選択を行う電話番号を表示することを特徴とする、請求項５に記載の携帯電話機の発信システム。
【請求項７】
電話番号を記憶するメモリを有する携帯電話機の発信方法において、
前記メモリを２つに分けた一方に、複数の桁数を有するメモリ番号をパラメータとして複数の電話番号を記憶する工程と、
前記メモリを２つに分けた他方に、前記メモリを２つに分けた一方でのメモリ番号以外のメモリ番号で最下位の桁の数が「０」から「９」までのメモリ番号に対して、前記メモリを２つに分けた一方に記憶されているメモリ番号から選択された最大１０件のメモリ番号を記憶する工程と、
「０」から「９」の入力数キーを、前記メモリを２つに分けた他方でのメモリ番号の最下位の桁の数にそれぞれ対応させ、「０」から「９」の入力数キーの１つを１回だけ所定時間以上押下する操作だけで、前記メモリを２つに分けた他方から最下位の桁の数が「０」から「９」までの該当するメモリ番号を選択し、前記メモリを２つに分けた一方に対して、選択したメモリ番号に該当する電話番号の呼び出しを行う工程とを備えることを特徴とする携帯電話機の発信方法。
【請求項８】
電話番号を記憶するメモリを有する携帯電話機の発信方法において、
前記メモリを２つに分けた一方に、複数の桁数を有するメモリ番号をパラメータとして複数の電話番号を記憶する工程と、
前記メモリを２つに分けた他方に、前記メモリを２つに分けた一方でのメモリ番号以外のメモリ番号で最下位の桁の数が「０」から「９」までのメモリ番号に対して、前記メモリを２つに分けた一方に記憶されている電話番号から選択された最大１０件の電話番号を記憶する工程と、
「０」から「９」の入力数キーを、前記メモリを２つに分けた他方でのメモリ番号の最下位の桁の数にそれぞれ対応させ、「０」から「９」の入力数キーの１つを１回だけ所定時間以上押下する操作だけで、前記メモリを２つに分けた他方から最下位の桁の数が「０」から「９」までの該当する電話番号を選択し、選択した電話番号に該当する電話番号の呼び出しを行う工程とを備えることを特徴とする携帯電話機の発信方法。
【発明の詳細な説明】
【０００１】
【産業上の利用分野】
本発明は携帯電話の発信操作に関する。特に、本発明は、容易な発信操作を可能にする携帯電話機の発信システム及び方法に関する。
【０００２】
【従来の技術】
従来、携帯電話機の発信では、電話番号を、直接、キー入力する場合には、通常、電話番号（最低１０桁）について１０回の入力数キーと１回の発信キーを押下するため、計１１回のキー操作が必要である。
メモリダイヤル発信では、メモリに記憶される電話番号を呼び出す場合には、メモリ番号（３桁）について３回の入力数キーと１回の発信キーを押すため、計４回のキー操作が必要である。
【０００３】
このように、操作が煩雑であり、だれにでも、特に、老人、子供などに、発信操作が簡単に行えるとは言えない。
このような煩雑な操作に対して、携帯電話機の一例が特開平０９−０６４９５０号公報に記載されている。
この公報の図８に示されるように、この従来の携帯電話機は、だれにでも操作が分かりやすく、確実に行われる操作部の簡易操作用ボタンと、電話帳機能部の特定ダイヤル番号記憶部と、通信回路部と、制御部、表示部とから構成されている。
【０００４】
このような構成を有する従来の携帯電話機では、操作部の簡易操作用のボタンを押すことにより、電話帳機能部の特定ダイヤル番号記憶部に予め最も重要な電話番号として記憶されている電話番号に確実に発信することができる。
【０００５】
【発明が解決しょうとする課題】
しかしながら、上記携帯電話機では、簡易操作用ボタンで発信できる電話番号が１つしかないという問題がある。
さらに、特別の簡易操作用ボタンがハードウエア（装置）として必要になるという問題がある。
【０００６】
したがって、本発明は上記問題点に鑑みて、だれにでも発信操作が簡単に行え、特別なハードウエアとして専用のキー（ボタン）を用意することなく、かつ、同時に複数の相手先の電話番号から選択して発信することが可能である携帯電話機の発信システム及び方法を提供することを目的とする。
【０００７】
【課題を解決するための手段】
本発明は前記問題点を解決するために、電話番号を記憶するメモリを有する携帯電話機の発信システムにおいて、前記メモリを２つに分けた一方に、複数の桁数を有するメモリ番号をパラメータとして複数の電話番号を有し、キーボードの入力数キーの操作でメモリ番号に該当する電話番号の呼出を行うためのメモリダイヤルと、前記メモリを２つに分けた他方に、前記メモリダイヤルで用いたメモリ番号以外のメモリ番号で最下位の桁の数が「０」から「９」までのメモリ番号に対して、前記メモリダイヤルに記憶されているメモリ番号から選択された最大１０件のメモリ番号を記憶する選択メモリダイヤルと、入力数キーの操作で、前記メモリダイヤルから最大１０件のメモリ番号を選択し、選択したメモリ番号を最下位の桁の数が「０」から「９」までのメモリ番号に対応して前記選択メモリダイヤルに記憶させるメモリ番号選択部と、「０」から「９」の入力数キーを前記選択メモリダイヤルのメモリ番号の最下位の桁の数にそれぞれ対応させ、「０」から「９」の入力数キーの１つを１回だけ所定時間以上押下する操作だけで、前記選択メモリダイヤルから最下位の桁の数が「０」から「９」までの該当するメモリ番号を選択し、前記メモリダイヤルに対して選択したメモリ番号に該当する電話番号の呼び出しを行わせる選択メモリ番号発信部とを備えることを特徴とする携帯電話機の発信システムを提供する。
【０００８】
この手段により、メモリ番号の最下位の桁の「０」から「９」に対応して選択メモリダイヤルにメモリダイヤルから選択された最大１０件のメモリ番号を記憶させるようにしたので、だれにでも最大１０件のメモリ番号の記憶操作が簡単に行え、さらに、選択メモリダイヤルのメモリ番号の最下位の桁の「０」から「９」に対応して、「０」から「９」の入力数キーの操作で、選択メモリダイヤルに記憶されたメモリダイヤルのメモリ番号の発信操作が簡単に行えるようにしたので、特別なハードウエアとして専用のキー（ボタン）を用意する必要がない。すなわち、携帯電話機に登録した数百件に及ぶ相手先のメモリ番号の内、最大１０件を簡単に選択、記憶する操作ができ、発信時に簡単な操作でメモリ番号呼び出し、かつ、そのまま発信することが可能になる。
さらに、制御部が設けられ、前記制御部は、キーボードの「０」から「９」の入力数キー以外の任意のキー操作で、１回の短押しを行う場合には前記選択メモリ番号発信部に対して選択したメモリ番号に該当する電話番号の呼び出しを行わせる動作を制御し、２回の短押しを行う場合には前記メモリ番号選択部に対してメモリ番号を選択し前記選択メモリダイヤルに記憶させる動作を制御し、前記選択メモリ番号発信部が電話番号の呼び出しを行う場合には呼び出しを行う電話番号を表示し、前記メモリ番号選択部がメモリ番号を選択する場合には選択を行うメモリ番号を表示する。
【０００９】
さらに、本発明は、電話番号を記憶するメモリを有する携帯電話機の発信システムにおいて、前記メモリを２つに分けた一方に、複数の桁数を有するメモリ番号をパラメータとして複数の電話番号を有し、キーボードの入力数キーの操作でメモリ番号に該当する電話番号の呼出を行うためのメモリダイヤルと、前記メモリを２つに分けた他方に、前記メモリダイヤルで用いたメモリ番号以外のメモリ番号で最下位の桁の数が「０」から「９」までのメモリ番号に対して、前記メモリダイヤルに記憶されている電話番号から選択された最大１０件の電話番号を記憶する選択メモリダイヤルと、入力数キーの操作で、前記メモリダイヤルから最大１０件の電話番号を選択し、選択した電話番号を最下位の桁の数が「０」から「９」までのメモリ番号に対応して前記選択メモリダイヤルに記憶させる電話番号選択部と、「０」から「９」の入力数キーを前記選択メモリダイヤルのメモリ番号の最下位の桁の数にそれぞれ対応させ、「０」から「９」の入力数キーの１つを１回だけ所定時間以上押下する操作だけで、前記選択メモリダイヤルから最下位の桁の数が「０」から「９」までの該当するメモリ番号を選択し、該当する電話番号の呼び出しを行わせる選択電話番号発信部とを備えることを特徴とする携帯電話機の発信システムを提供する。
【００１０】
この手段により、メモリ番号の最下位の桁の「０」から「９」に対応して選択メモリダイヤルにメモリダイヤルから選択された最大１０件の電話番号を記憶させるようにしたので、だれにでも最大１０件の電話番号の記憶操作が簡単に行え、さらに、選択メモリダイヤルのメモリ番号の最下位の桁の「０」から「９」に対応して、「０」から「９」の入力数キーの操作で、選択メモリダイヤルに記憶されたメモリダイヤルの電話番号の発信操作が簡単に行えるようにしたので、特別なハードウエアとして専用のキー（ボタン）を用意する必要がない。すなわち、携帯電話機に登録した数百件に及ぶ相手先の電話番号の内、最大１０件を簡単に選択、記憶する操作ができ、発信時に簡単な操作で電話番号呼び出し、かつ、そのまま発信することが可能になる。
さらに、制御部が設けられ、前記制御部は、キーボードの「０」から「９」の入力数キー以外の任意のキー操作で、１回の短押しを行う場合には前記選択電話番号発信部に対して選択した電話番号の呼び出しを行わせる動作を制御し、２回の短押しを行う場合には前記電話番号選択部に対してメモリ番号を選択し前記選択メモリダイヤルに記憶させる動作を制御し、前記選択電話番号発信部が電話番号の呼び出しを行う場合には呼び出しを行う電話番号を表示し、前記電話番号選択部が電話番号を選択する場合には選択を行う電話番号を表示する。
【００１１】
さらに、本発明は、電話番号を記憶するメモリを有する携帯電話機の発信システムにおいて、前記メモリを３つに分けた第１の部分に、複数の桁数を有するメモリ番号をパラメータとして複数の電話番号を有し、キーボードの入力数キーの操作でメモリ番号に該当する電話番号の呼出を行うためのメモリダイヤルと、前記メモリを３つに分けた第２の部分に、前記メモリダイヤルで用いたメモリ番号以外のメモリ番号で最下位の桁の数が「０」から「９」までのメモリ番号に対して、前記メモリダイヤルに記憶されているメモリ番号から選択された最大１０件のメモリ番号を記憶する第１の選択メモリダイヤルと、前記メモリを３つに分けた第３の部分に、前記メモリダイヤルで用いたメモリ番号以外のメモリ番号で最下位の桁の数が「０」から「９」までのメモリ番号で前記第１の選択メモリダイヤルのメモリ番号と異なるメモリ番号に対して、前記メモリダイヤルに記憶されているメモリ番号から選択された最大１０件の電話番号を記憶する第２の選択メモリダイヤルと、入力数キーの操作で、前記メモリダイヤルから最大１０件のメモリ番号を選択し、選択したメモリ番号を最下位の桁の数が「０」から「９」までのメモリ番号に対応して前記第１の選択メモリダイヤルに記憶させるメモリ番号選択部と、入力数キーの操作で、前記メモリダイヤルから最大１０件の電話番号を選択し、選択した電話番号を最下位の桁の数が「０」から「９」までのメモリ番号に対応して前記第２の選択メモリダイヤルに記憶させる電話番号選択部と、「０」から「９」の入力数キーを前記第１の選択メモリダイヤルのメモリ番号の最下位の桁の数にそれぞれ対応させ、「０」から「９」の入力数キーの１つを１回だけ所定時間以上押下する操作だけで、前記第１の選択メモリダイヤルから最下位の桁の数が「０」から「９」までの該当するメモリ番号を選択し、前記メモリダイヤルに対して選択したメモリ番号に該当する電話番号の呼び出しを行わせる選択メモリ番号発信部と、「０」から「９」の入力数キーを前記選択メモリダイヤルのメモリ番号の最下位の桁の数にそれぞれ対応させ、「０」から「９」の入力数キーの１つを１回だけ所定時間以上押下する操作だけで、前記第２の選択メモリダイヤルから最下位の桁の数が「０」から「９」までの該当するメモリ番号を選択し、該当する電話番号の呼び出しを行わせる選択電話番号発信部と、キーボードの「０」から「９」の入力数キー以外の任意のキー操作で、１回の短押しを行う場合には前記選択メモリ番号発信部に対して選択したメモリ番号に該当する電話番号の呼び出しを行わせる動作を制御し、２回の短押しを行う場合には前記選択電話番号発信部に対して選択した電話番号の呼び出しを行わせる動作を制御し、３回の短押しを行う場合には前記メモリ番号選択部に対してメモリ番号を選択し前記選択メモリダイヤルに記憶させる動作を制御し、４回の短押しを行う場合には前記電話番号選択部に対してメモリ番号を選択し前記選択メモリダイヤルに記憶させる動作を制御する制御部とを備えることを特徴とする携帯電話機の発信システムを提供する。
【００１２】
この手段により、メモリ番号の最下位の桁の「０」から「９」に対応して選択メモリダイヤルにメモリダイヤルから選択された最大１０件のメモリ番号、電話番号をそれぞれ記憶させるようにしたので、だれにでも最大１０件のメモリ番号、電話番号の記憶操作が簡単に行え、さらに、選択メモリダイヤルのメモリ番号の最下位の桁の「０」から「９」に対応して、「０」から「９」の入力数キーの操作で、選択メモリダイヤルに記憶されたメモリダイヤルのメモリ番号、電話番号の発信操作が簡単に行えるようにしたので、特別なハードウエアとして専用のキー（ボタン）を用意する必要がない。すなわち、携帯電話機に登録した数百件に及ぶ相手先のメモリ番号、電話番号の内、最大１０件を簡単に選択、記憶する操作ができ、発信時に簡単な操作でメモリ番号呼び出し、かつ、そのまま発信することが可能になる。
さらに、前記制御部は、前記選択メモリ番号発信部が電話番号の呼び出しを行う場合には呼び出しを行う電話番号を表示し、前記メモリ番号選択部がメモリ番号を選択する場合には選択を行うメモリ番号を表示し、前記選択電話番号発信部が電話番号の呼び出しを行う場合には呼び出しを行う電話番号を表示し、前記電話番号選択部が電話番号を選択する場合には選択を行う電話番号を表示する。
【００１３】
さらに、本発明は、電話番号を記憶するメモリを有する携帯電話機の発信方法において、前記メモリを２つに分けた一方に、複数の桁数を有するメモリ番号をパラメータとして複数の電話番号を記憶する工程と、前記メモリを２つに分けた他方に、前記メモリを２つに分けた一方でのメモリ番号以外のメモリ番号で最下位の桁の数が「０」から「９」までのメモリ番号に対して、前記メモリを２つに分けた一方に記憶されているメモリ番号から選択された最大１０件のメモリ番号を記憶する工程と、「０」から「９」の入力数キーを、前記メモリを２つに分けた他方でのメモリ番号の最下位の桁の数にそれぞれ対応させ、「０」から「９」の入力数キーの１つを１回だけ所定時間以上押下する操作だけで、前記メモリを２つに分けた他方から最下位の桁の数が「０」から「９」までの該当するメモリ番号を選択し、前記メモリを２つに分けた一方に対して、選択したメモリ番号に該当する電話番号の呼び出しを行う工程とを備えることを特徴とする携帯電話機の発信方法を提供する。
【００１４】
この手段により、メモリ番号の最下位の桁の「０」から「９」に対応して選択メモリダイヤルにメモリダイヤルから選択された最大１０件のメモリ番号を記憶させるようにしたので、だれにでも最大１０件のメモリ番号の記憶操作が簡単に行え、さらに、選択メモリダイヤルのメモリ番号の最下位の桁の「０」から「９」に対応して、「０」から「９」の入力数キーの操作で、選択メモリダイヤルに記憶されたメモリダイヤルのメモリ番号の発信操作が簡単に行えるようにしたので、特別なハードウエアとして専用のキー（ボタン）を用意する必要がない。すなわち、携帯電話機に登録した数百件に及ぶ相手先のメモリ番号の内、最大１０件を簡単に選択、記憶する操作ができ、発信時に簡単な操作でメモリ番号呼び出し、かつ、そのまま発信することが可能になる。
【００１５】
さらに、本発明は、電話番号を記憶するメモリを有する携帯電話機の発信方法において、前記メモリを２つに分けた一方に、複数の桁数を有するメモリ番号をパラメータとして複数の電話番号を記憶する工程と、前記メモリを２つに分けた他方に、前記メモリを２つに分けた一方でのメモリ番号以外のメモリ番号で最下位の桁の数が「０」から「９」までのメモリ番号に対して、前記メモリを２つに分けた一方に記憶されている電話番号から選択された最大１０件の電話番号を記憶する工程と、「０」から「９」の入力数キーを、前記メモリを２つに分けた他方でのメモリ番号の最下位の桁の数にそれぞれ対応させ、「０」から「９」の入力数キーの１つを１回だけ所定時間以上押下する操作だけで、前記メモリを２つに分けた他方から最下位の桁の数が「０」から「９」までの該当する電話番号を選択し、選択した電話番号に該当する電話番号の呼び出しを行う工程とを備えることを特徴とする携帯電話機の発信方法を提供する。
この手段により、メモリ番号の最下位の桁の「０」から「９」に対応して選択メモリダイヤルにメモリダイヤルから選択された最大１０件の電話番号を記憶させるようにしたので、だれにでも最大１０件の電話番号の記憶操作が簡単に行え、さらに、選択メモリダイヤルのメモリ番号の最下位の桁の「０」から「９」に対応して、「０」から「９」の入力数キーの操作で、選択メモリダイヤルに記憶されたメモリダイヤルの電話番号の発信操作が簡単に行えるようにしたので、特別なハードウエアとして専用のキー（ボタン）を用意する必要がない。すなわち、携帯電話機に登録した数百件に及ぶ相手先の電話番号の内、最大１０件を簡単に選択、記憶する操作ができ、発信時に簡単な操作で電話番号呼び出し、かつ、そのまま発信することが可能になる。
【００１６】
【発明の実施の形態】
以下、本発明の実施の形態について図面を参照して説明する。
図１は本発明の第１の実施例に係る携帯電話機の発信システムの概略構成を示す図である。なお、全図を通して同一の構成要素には同一の符号、番号を付して説明を行う。
【００１７】
本図に示す携帯電話機には、無線部５０が設けられ、無線部５０は基地局とアンテナを経由して通信を行う。
無線部５０には制御部４０が接続され、制御部４０は、ＣＰＵ（中央処理装置）により形成され、携帯電話機全体の制御を行い、機能呼出部４０Ａを有する。
【００１８】
制御部４０にはプログラム用メモリ３０が接続され、プログラム用メモリ３０は携帯電話機を制御するプログラムが格納され、特に簡単操作機能プログラム３０Ａが格納される。
簡単操作機能プログラム３０Ａは、機能呼出部４０Ａにより制御部４０に呼び出され、携帯電話機に登録した数百に及ぶ相手先の電話番号のうち、予め最大１０件を選択し、選択された電話番号を発信時に簡単な操作で呼び出し、かつ、そのまま発信を行わせるプログラムである。
【００１９】
さらに、制御部４０には受話音を出力するスピーカ、送話音を入力するマイクロフォンが接続される。
さらに、制御部４０にはキーボード１０が接続され、キーボード１０は電話番号等を入力する入力数キー「１」〜「９」とＳキーとを備える。
Ｓキーは、キーボード１０に設けられている任意の入力キーであり、Ｓキーの短押しの回数により、種々の簡単操作機能プログラム３０Ａを呼び出するために使用される。
【００２０】
ここでは、説明の簡単化のため、Ｓキーは入力数キー「１」〜「９」以外のキーとする。
制御部４０には表示部６０が接続され、表示部６０は、電話番号の表示、メモリ番号の表示等を行う。
さらに、制御部４０にはメモリ２０が接続され、メモリ２０は、各種データを記憶し、メモリダイヤル２０Ａ、特に選択用メモリダイヤル２０Ｂを格納する。
【００２１】
メモリダイヤル２０Ａには３桁のメモリ番号をパラメータとして電話番号が記憶される。
他方、選択用メモリダイヤル２０Ｂには、１０件の３桁のメモリ番号で、百の桁、十の桁で選択されたメモリ番号、すなわち、（ＸＹ０）〜（ＸＹ９）に対して、メモリダイヤル２０Ａから１０件のメモリ番号がそれぞれ選択され、記憶される。
【００２２】
一般的には、３桁のメモリ番号で、１の桁（最下位の桁）が０〜９までの１０個のメモリ番号であれば、百の桁、十の桁の数は任意であってもよい。また、１０件は最大であり、これよりも少なくてもよい。
図２は図１におけるプログラム用メモリ３０の簡単操作機能プログラム３０Ａの概略構成を説明するブロック図である。
【００２３】
本図に示すように、簡単操作機能プログラム３０Ａは、選択メモリ番号発信機能プログラム３０Ｂと、メモリ番号１０件選択機能プログラム３０Ｃとで構成される。
選択メモリ番号発信機能プログラム３０Ｂは１０件の電話番号について１つのメモリ番号を１つの入力数キー操作１回で呼び出しそのまま発信を行うプログラムである。ここで、１０件の電話番号とするのは、１つの入力数キー操作１回での呼び出しを可能にするためであるので、１０件以下の電話番号に対しての適用が可能である。以下同様である。
【００２４】
メモリ番号１０件選択機能プログラム３０Ｃは、メモリ２０の後述する選択用メモリダイヤル２０Ｂに１０件のメモリ番号を記憶させるプログラムである。
図３は図１におけるメモリ２０をより詳細に説明する図である。本図の左側に示すように、通常、メモリ２０には、メモリ番号「０００」〜「９９９」をパラメータとして、電話番号がそれぞれ記憶される。
【００２５】
本図の右側に示すように、本発明では、メモリ２０を２つに分割し、メモリダイヤル２０Ａと選択用メモリダイヤル２０Ｂにする。
メモリダイヤル２０Ａでは、３桁のメモリ番号「０００」〜「９８９」の各々をパラメータとして電話番号が登録され、３桁のメモリ番号の入力に対して該当する電話番号が出力される。
【００２６】
一例として、メモリ番号「０００」、…、「００９」、…、「２１８」、…、「８７９」、…、「９８９」に対して、電話番号「０３１１１１２２２２」、…、「０３１２３４１２３４」、…、「０３２３４１２３４１」、…、「０４１２３４１２３４」、…、「０４５４７６６７１７」がそれぞれ登録されているとする。
選択用メモリダイヤル２０Ｂでは、３桁の１０件のメモリ番号「９９０」、「９９１」〜「９９９」に対して、メモリダイヤル２０Ａから１０件のメモリ番号がそれぞれ選択されて、記憶される。
【００２７】
例えば、選択用メモリダイヤル２０Ｂでは、メモリ番号「９９０」にメモリ番号「００９」が選択されて選択番号欄に記憶され、メモリ番号「９９１」にメモリ番号「２１８」が選択されて選択メモリ番号欄に入力され、…、さらに、メモリ番号「９９９」にメモリ番号「８７９」が選択されて選択メモリ番号欄に入力される。
【００２８】
他方、選択用メモリダイヤル２０Ｂの選択メモリ番号欄のメモリ番号に対しては、３桁の末桁「０」〜「９」の入力で、該当する選択メモリ番号が選択され、この選択により、メモリダイヤル２０Ａのメモリ番号の電話番号が出力される。図４は図１における制御部４０の機能呼出部４０Ａの制御動作を説明するフローチャートである。
【００２９】
本図に示すように、ステップＳ１０１において、キーボード１０のＳキーの短押し回数Ｉを、以下のように、初期化する
Ｉ＝０
ステップＳ１０２において、Ｓキーが押下されたか否かの判断を行い、押下されない場合には、ステップＳ１０６に進む。
ステップＳ１０３において、押下された場合には、次に、Ｓキー押下解除を監視する。
【００３０】
ステップＳ１０４において、Ｓキーの押下から押下解除までの押下時間が１秒未満であるか否かを判断する。１秒未満でない場合には処理を終了する。
ステップＳ１０５において、１秒未満である場合には、Ｓキーの短押し回数Ｉを、以下のように、インクリメントして、ステップＳ１０２に戻る。
Ｉ＝Ｉ＋１
ステップＳ１０６において、Ｓキーの短押し回数Ｉについて下記式が満足するか否かを判断する。満足する場合、ステップＳ１０２に戻る。
【００３１】
Ｉ＝０
ステップＳ１０７において、上記式が満足しない場合、前回のＳキーの押下から１．５秒が経過したか否かを判断する。経過していない場合、ステップＳ１０２に戻る。
ステップＳ１０８において、経過している場合、Ｓキーの短押し回数Ｉについて下記式が満足するか否かを判断する。満足している場合、ステップＳ１１０に進む。
【００３２】
Ｉ＝１
ステップＳ１０９において、満足していない場合、Ｓキーの短押し回数Ｉについて下記式が満足するか否かを判断する。満足していない場合には処理を終了する。
Ｉ＝２
ステップＳ１１０において、Ｓキーの短押し回数Ｉとして、Ｉ＝１又は２を出力して処理を終了する。
【００３３】
機能呼出部４０Ａは、Ｓキーの短押し回数Ｉ＝１、２に対応して、プログラム用メモリ３０から簡単操作機能プログラム３０Ａを構成する選択メモリ番号発信機能プログラム３０Ｂ、メモリ番号１０件選択機能プログラム３０Ｃを制御部４０に択一的に呼び出す。
図５は図１におけるプログラム用メモリ３０の選択メモリ番号発信機能プログラム３０Ｂにより実行される動作を説明するフローチャートである。
ステップＳ２０１において、Ｓキーの短押し回数Ｉについて、下記式が満足するか否かを判断する。満足しない場合には、処理を終了する。
【００３４】
Ｉ＝１
ステップＳ２０２において、満足する場合には、機能呼出部４０Ａはプログラム用メモリ３０から選択メモリ番号発信機能プログラム３０Ｂを制御部４０に呼び出し、「メモリ番号発信簡単操作」を表示部６０に表示する。
ステップＳ２０３において、制御部４０では、キーボード１０の入力数キー「０」〜「９」の何れかが入力されたか否かの判断を行う。入力されていない場合には処理を終了する。
【００３５】
ステップＳ２０４において、該当する入力数キー「０」〜「９」の何れかの入力に対して、選択用メモリダイヤル２０Ｂにおける３桁のメモリ番号「９９０」〜「９９９」の末桁に該当するメモリ番号が選択される。例えば、入力数キー「０」、「１」、…、「９」の入力に対して、選択用メモリダイヤル２０Ｂのメモリ番号「９９０」、「９９１」、…、「９９９」が選択される。
ステップＳ２０５において、選択されたメモリ番号に対応する電話番号が表示部６０に表示される。例えば、上記の入力数キー「０」、「１」、…、「９」の入力に対して、電話番号「０３１２３４１２３４」、「０３２３４１２３４１」、…、「０４１２３４１２３４」がそれぞれ表示される。
【００３６】
ステップＳ２０６において、ステップＳ２０３で入力操作された入力数キーがそのまま継続して押され、１秒以上の長押しが行われているか否かの判断が行われる。長押しが行われていない場合には、処理を終了し発信動作が行われない。ステップＳ２０７において、長押しが行われている場合には、発信動作を行い、処理を終了する。
【００３７】
図６は図１におけるプログラム用メモリ３０のメモリ番号１０件選択機能プログラム３０Ｃにより実行される動作を説明するフローチャートである。
本図に示すように、ステップＳ３０１において、Ｓキーの短押し回数Ｉについて、下記式が満足するか否かを判断する。満足しない場合には、処理を終了する。
Ｉ＝２
【００３８】
ステップＳ３０２において、満足する場合には、機能呼出部４０Ａはプログラム用メモリ３０からメモリ番号１０件選択機能プログラム３０Ｃを制御部４０に呼び出し、「メモリ番号１０件選択」を表示部６０に表示する。
ステップＳ３０３において、制御部４０では、初期のメモリ番号Ｊを下記式のようにセットする。
Ｊ＝９９０
【００３９】
ステップＳ３０４において、キーボード１０の入力数キー「０」〜「９」から３桁の入力があるか否かを判断する。入力がない場合には処理を終了する。
ステップＳ３０５において、入力がある場合には、メモリ番号Ｊをパラメータとし入力される３桁が図３の選択用メモリダイヤル２０Ｂの選択メモリ番号欄に記憶される。
【００４０】
例えば、メモリ番号９９０に対して３桁の「００９」の入力があれば、この入力が選択メモリ番号として記憶される。
同様に、メモリ番号９９１に対して３桁の「２１８」の入力があれば、この入力が選択メモリ番号として記憶され、メモリ番号９９９に対して３桁の「８７９」の入力があれば、この入力が選択メモリ番号として記憶される。
ステップＳ３０６において、該当選択メモリ番号が表示部６０に表示される。
【００４１】
ステップＳ３０７において、メモリ番号Ｊが下記式を満足するか否かを判断する。満足する場合には、１０件の選択メモリ番号が入力完了したので、処理を終了する。
Ｊ＝９９９
ステップＳ３０８において、満足しない場合には、下記式のようにインクリメントし、ステップＳ３０４に戻る。
【００４２】
Ｊ＝Ｊ＋１
このようにして、携帯電話機に登録した数百件に関する相手先のメモリ番号の内、予め１０件を選択し、発信時に簡単な操作でメモリ番号呼び出し、かつ、そのまま発信することが可能になる。
【００４３】
次に、本発明の第２の変形例について説明する。
図７は第２の変形例に係る図１の簡単操作機能プログラム３０Ａの概略構成を示すブロック図である。本図に示すように、図１と比較して、簡単操作機能プログラム３０Ａは、選択メモリ番号発信機能プログラム３０Ｂ、メモリ番号１０件選択機能プログラム３０Ｃに代わり、選択電話番号発信機能プログラム３０Ｄ、電話番号１０件選択機能プログラム３０Ｅを格納する。
【００４４】
電話番号発信機能プログラム３０Ｄは１０件の選択された電話番号について１つの入力数キー操作１回で呼び出しそのまま発信を行うプログラムである。
電話番号１０件選択機能プログラム３０Ｅは、メモリ２０の選択用メモリダイヤル２０Ｂに１０件のメモリ番号を記憶させるプログラムである。
図８は第２の変形例に係る図１のメモリ２０をより詳細に説明する図である。本図に示すように、図２と比較して異なるのは選択用メモリダイヤル２０Ｂであり、選択用メモリダイヤル２０Ｂでは、メモリ番号「９９０」〜「９９９」に対して選択電話番号欄に電話番号が記憶される。
【００４５】
すなわち、メモリ番号「９９０」、「９９１」、…、「９９９」に対して、選択電話番号「０３１２３４１２３４」、「０３２３４１２３４１」、…、「０４１２３４１２３４」がそれぞれ記憶される。
図９は図７におけるプログラム用メモリ３０の選択電話番号発信機能プログラム３０Ｄにより実行される動作を説明するフローチャートである。
ステップＳ４０１において、Ｓキーの短押し回数Ｉについて、下記式が満足するか否かを判断する。満足しない場合には、処理を終了する。
【００４６】
Ｉ＝１
ステップＳ４０２において、満足する場合には、機能呼出部４０Ａはプログラム用メモリ３０から選択電話番号発信機能プログラム３０Ｄを制御部４０に呼び出し、「電話番号発信簡単操作」を表示部６０に表示する。
ステップＳ４０３において、制御部４０で、キーボード１０の入力数キー「０」〜「９」の何れかが入力されたか否かの判断を行う。入力されていない場合には処理を終了する。
【００４７】
ステップＳ４０４において、該当する入力数キー「０」〜「９」の何れかの入力に対して、図８の選択用メモリダイヤル２０Ｂにおける３桁のメモリ番号「９９０」〜「９９９」の末桁に該当する選択電話番号が選択される。例えば、入力数キー「０」、「１」、…、「９」の入力に対して、選択用メモリダイヤル２０Ｂの選択電話番号「０３１２３４１２３４」、「０３２３４１２３４１」、…、「０４１２３４１２３４」がそれぞれ選択される。
【００４８】
ステップＳ４０５において、入力数キー「０」〜「９」の何れかの入力に対応する電話番号が表示部６０に表示される。
ステップＳ４０６において、ステップＳ４０３で入力操作された入力数キーがそのまま継続して押され、１秒以上の長押しが行われているか否かの判断が行われる。長押しが行われていない場合には、処理を終了し発信動作が行われない。
【００４９】
ステップＳ４０７において、長押しが行われている場合には、発信動作を行い、処理を終了する。
図１０は図７におけるプログラム用メモリ３０の電話番号１０件選択機能プログラム３０Ｅにより実行される動作を説明するフローチャートである。
本図に示すように、ステップＳ５０１において、Ｓキーの短押し回数Ｉについて、下記式が満足するか否かを判断する。満足しない場合には、処理を終了する。
【００５０】
Ｉ＝２
ステップＳ５０２において、満足する場合には、機能呼出部４０Ａはプログラム用メモリ３０から電話番号１０件選択機能プログラム３０Ｅを制御部４０に呼び出し、「電話番号１０件選択」を表示部６０に表示する。
ステップＳ５０３において、制御部４０では、初期のメモリ番号Ｊを下記式のようにセットする。
【００５１】
Ｊ＝９９０
ステップＳ５０４において、キーボード１０の入力数キー「０」〜「９」から３桁の入力があるか否かを判断する。入力がない場合には処理を終了する。
ステップＳ５０５において、入力がある場合には、メモリ番号Ｊをパラメータとし入力データが図８の選択用メモリダイヤル２０Ｂの選択電話番号欄に記憶される。
【００５２】
例えば、メモリ番号９９０に対して電話番号「０３１２３４１２３４」の入力があれば、この入力が選択電話番号欄に記憶される。
同様に、メモリ番号９９１に対して「０３２３４１２３４１」の入力があれば、この入力が選択電話番号欄に記憶され、メモリ番号９９９に対して「０４１２３４１２３４」の入力があれば、この入力が選択電話番号欄にて記憶される。
【００５３】
ステップＳ５０６において、該当選択電話番号が表示部６０に表示される。
ステップＳ５０７において、メモリ番号Ｊが下記式を満足するか否かを判断する。満足する場合には、１０件の選択メモリ番号が入力完了したので、処理を終了する。
Ｊ＝９９９
【００５４】
ステップＳ５０８において、満足しない場合には、下記式のようにインクリメントし、ステップＳ５０４に戻る。
Ｊ＝Ｊ＋１
このようにして、携帯電話機に登録した数百件に関する相手先の電話番号の内、予め１０件を選択し、発信時に簡単な操作で電話番号を呼び出し、かつ、そのまま発信することが可能になる。
【００５５】
次に、第３の実施例について説明する。第３の実施例は、第１及び第２の実施例を組み合わせたものである。
図１１は第３の変形例に係る図１のプログラム用メモリ３０の概略構成を示すブロック図である。本図に示すように、図１と比較して、プログラム用メモリ３０の簡単操作機能プログラム３０Ａは、選択メモリ番号発信機能プログラム３０Ｂ、メモリ番号１０件選択機能プログラム３０Ｃ、選択電話番号発信機能プログラム３０Ｄ、電話番号１０件選択機能プログラム３０Ｅを格納する。
【００５６】
図１２は第３の変形例に係る図１のメモリ２０をより詳細に説明する図である。本図に示すように、メモリ２０にはメモリダイヤル２０Ａ、選択用メモリダイヤル２０Ｂ−１、選択用メモリダイヤル２０Ｂ−２が設けられる。
例えば、選択用メモリダイヤル２０Ｂー１では、メモリ番号「９８０」〜「９８９」に対して選択メモリ番号欄に選択されたメモリ番号が記憶される。
【００５７】
すなわち、メモリ番号「９８０」、「９８１」、…、「９８９」に対して選択メモリ番号欄に選択されたメモリ番号「００５」、「２１０」、…、「８７０」がそれぞれ記憶される。
選択用メモリダイヤル２０Ｂ−２では、メモリ番号「９９０」〜「９９９」に対して選択電話番号欄に選択された電話番号が記憶される。
すなわち、メモリ番号「９９０」、「９９１」、…、「９９９」に対して、選択電話番号欄に選択された電話番号「０３１２３４１２３４」、「０３２３４１２３４１」、…、「０４１２３４１２３４」がそれぞれ記憶される。
【００５８】
図１３は第３の変形例に係る図１における制御部４０の機能呼出部４０Ａの制御動作を説明するフローチャートである。
本図に示すように、図４と比較して、ステップＳ６１０、６１１が追加されている。
機能呼出部４０ＡによるＳキーの短押し回数Ｉ１＝１、２、３、４に対応して、制御部４０は、プログラム用メモリ３０から簡単操作機能プログラム３０Ａを構成する選択メモリ番号発信機能プログラム３０Ｂ、選択電話番号発信機能プログラム３０Ｄ、メモリ番号１０件選択機能プログラム３０Ｃ、電話番号１０件選択機能プログラム３０Ｅを呼び出す。
【００５９】
図１４は、図１３における簡単操作機能プログラム３０Ａを構成する選択メモリ番号発信機能プログラム３０Ｂ、選択電話番号発信機能プログラム３０Ｄ、メモリ番号１０件選択機能プログラム３０Ｃ、電話番号１０件選択機能プログラム３０Ｅにより実行される一連の動作を説明するフローチャートである。
ステップＳ７０１において、Ｓキーの短押し回数Ｉ１について、下記式が満足するか否かを判断する。満足しない場合には、ステップＳ７０８に進む。
【００６０】
Ｉ１＝１
ステップＳ７０２において、満足する場合には、機能呼出部４０Ａはプログラム用メモリ３０から選択メモリ番号発信機能プログラム３０Ｂを制御部４０に呼び出し、「メモリ番号発信簡単操作」を表示部６０に表示する。
ステップＳ７０３において、制御部４０では、キーボード１０の入力数キー「０」〜「９」の何れかが入力されたか否かの判断を行う。入力されていない場合には処理を終了する。
【００６１】
ステップＳ７０４において、該当する入力数キー「０」〜「９」の何れかの入力に対して、図１２の選択用メモリダイヤル２０Ｂ−１における３桁のメモリ番号「９８０」〜「９８９」の末桁に該当するメモリ番号が選択される。例えば、入力数キー「０」、「１」、…、「９」の入力に対して、選択用メモリダイヤル２０Ｂ−１のメモリ番号における３桁の「９８０」、「９８１」、…、「９８９」がそれぞれ選択される。
【００６２】
ステップＳ７０５において、選択されたメモリ番号に対応する電話番号が表示部６０に表示される。
ステップＳ７０６において、ステップＳ７０３で入力操作された入力数キーがそのまま継続して押され、１秒以上の長押しが行われているか否かの判断が行われる。長押しが行われていない場合には、処理を終了し発信動作が行われない。
【００６３】
ステップＳ７０７において、長押しが行われている場合には、発信動作を行い、処理を終了する。
ステップＳ７０８において、Ｓキーの短押し回数Ｉ１について、下記式が満足するか否かを判断する。満足しない場合には、ステップＳ７１２に進む。
Ｉ１＝２
【００６４】
ステップＳ７０９において、満足する場合には、機能呼出部４０Ａはプログラム用メモリ３０から選択電話番号発信機能プログラム３０Ｄを制御部４０に呼び出し、「電話番号発信簡単操作」を表示部６０に表示する。
ステップＳ７１０において、制御部４０で、キーボード１０の入力数キー「０」〜「９」の何れかが入力されたか否かの判断を行う。入力されていない場合には処理を終了する。
【００６５】
ステップＳ７１１において、該当する入力数キー「０」〜「９」の何れかの入力に対して、図１２の選択用メモリダイヤル２０Ｂにおける３桁のメモリ番号「９９０」〜「９９９」の末桁に該当する選択電話番号が選択される。例えば、入力数キー「１」の入力に対して、選択用メモリダイヤル２０Ｂ−２の選択電話番号「０３２３４１２３４１」が選択される。その後、ステップＳ７０５に進む。
【００６６】
ステップＳ７１２において、Ｓキーの短押し回数Ｉ１について、下記式が満足するか否かを判断する。満足しない場合には、処理を終了する。
Ｉ１＝３
ステップＳ７１３において、満足する場合には、機能呼出部４０Ａはプログラム用メモリ３０からメモリ番号１０件選択機能プログラム３０Ｃを制御部４０に呼び出し、「メモリ番号１０件選択」を表示部６０に表示する。
【００６７】
ステップＳ７１４において、制御部４０では、初期のメモリ番号Ｊを下記式のようにセットする。
Ｊ＝９８０
ステップＳ７１５において、キーボード１０の入力数キー「０」〜「９」から３桁の入力があるか否かを判断する。入力がない場合には処理を終了する。
【００６８】
ステップＳ７１６において、入力がある場合には、入力された３桁が、選択用メモリダイヤル２０Ｂ−１の選択メモリ番号として、メモリ番号Ｊに対応して記憶される。
例えば、メモリ番号９８０に対して３桁の「００５」の入力があれば、この入力が選択メモリ番号欄に記憶される。
【００６９】
同様に、メモリ番号９８１に対して３桁の「２１０」の入力があれば、この入力が選択メモリ番号欄に記憶され、…、メモリ番号９８９に対して３桁の「８７０」の入力があれば、この入力が選択メモリ番号欄に記憶される。
ステップＳ７１７において、該当選択メモリ番号が表示部６０に表示される。
ステップＳ７１８において、メモリ番号Ｊが下記式を満足するか否かを判断する。満足する場合には、１０件の選択メモリ番号が入力完了したので、処理を終了する。
【００７０】
Ｊ＝９８９
ステップＳ７１９において、満足しない場合には、下記式のようにインクリメントし、ステップＳ７１５に戻る。
Ｊ＝Ｊ＋１
ステップＳ７２０において、Ｓキーの短押し回数Ｉ１について、下記式が満足するか否かを判断する。満足しない場合には、処理を終了する。
【００７１】
Ｉ１＝４
ステップＳ７２１において、満足する場合には、機能呼出部４０Ａはプログラム用メモリ３０から電話番号１０件選択機能プログラム３０Ｅを制御部４０に呼び出し、「電話番号１０件選択」を表示部６０に表示する。
ステップＳ７２２において、制御部４０では、初期のメモリ番号Ｊを下記式のようにセットする。
【００７２】
Ｊ＝９９０
ステップＳ７２３において、キーボード１０の入力数キー「０」〜「９」から３桁の入力があるか否かを判断する。入力がない場合には処理を終了する。
ステップＳ７２４において、入力がある場合には、入力データを、図１２の選択用メモリダイヤル２０Ｂ−２の選択電話番号として、メモリ番号Ｊに対応して記憶される。
【００７３】
例えば、メモリ番号９９０に対して「０３１２３４１２３４」の入力があれば、この入力が選択電話番号として記憶される。
同様に、メモリ番号９９１に対して「０３２３４１２３４１」の入力があれば、この入力が選択電話番号欄に記憶され、…、メモリ番号９９９に対して「０４１２３４１２３４」の入力があれば、この入力が選択電話番号欄に記憶される。
【００７４】
ステップＳ７２５において、該当選択電話番号が表示部６０に表示される。
ステップＳ７２６において、メモリ番号Ｊが下記式を満足するか否かを判断する。満足する場合には、１０件の選択メモリ番号が入力完了したので、処理を終了する。
Ｊ＝９９９
【００７５】
ステップＳ７２７において、満足しない場合には、下記式のようにインクリメントし、ステップＳ７２３に戻る。
Ｊ＝Ｊ＋１
このようにして、携帯電話機に登録した数百件に関する相手先のメモリ番号の内、予め１０件を選択し、発信時に簡単な操作でメモリ番号を呼び出し、かつ、そのまま発信することが可能になり、又は、発信時に簡単な操作で電話番号を呼び出し、かつ、そのまま発信することが可能になる。
【００７６】
【発明の効果】
以上説明したように、本発明によれば、メモリダイヤルに登録した電話番号のうち最大１０件を選択して記憶し、入力数キーを１回操作するだけで、記憶されている前記最大１０件のうち１つに電話番号を発信するようにしたので、だれにでも発信操作が簡単に行え、特別なハードウエアとして専用のキー（ボタン）を用意することなく、かつ、同時に複数の相手先電話番号から選択して発信することが可能となる。
【図面の簡単な説明】
【図１】本発明の第１の実施例に係る携帯電話機の発信システムの概略構成を示す図である。
【図２】図１におけるプログラム用メモリ３０の簡単操作機能プログラム３０Ａの概略構成を説明するブロック図である。
【図３】図１におけるメモリ２０をより詳細に説明する図である。
【図４】図１における制御部４０の機能呼出部４０Ａの制御動作を説明するフローチャートである。
【図５】図１におけるプログラム用メモリ３０の選択メモリ番号発信機能プログラム３０Ｂにより実行される動作を説明するフローチャートである。
【図６】図１におけるプログラム用メモリ３０のメモリ番号１０件選択機能プログラム３０Ｂにより実行される動作を説明するフローチャートである。
【図７】第２の変形例に係る図１のプログラム用メモリ３０の概略構成を示すブロック図である。
【図８】第２の変形例に係る図１のメモリ２０をより詳細に説明する図である。
【図９】図６におけるプログラム用メモリ３０の選択電話番号発信機能プログラム３０Ｄにより実行される動作を説明するフローチャートである。
【図１０】図６におけるプログラム用メモリ３０の電話番号１０件選択機能プログラム３０Ｅにより実行される動作を説明するフローチャートである。
【図１１】第３の変形例に係る図１のプログラム用メモリ３０の概略構成を示すブロック図である。
【図１２】第３の変形例に係る図１のメモリ２０をより詳細に説明する図である。
【図１３】第３の変形例に係る図１における制御部４０の機能呼出部４０Ａの制御動作を説明するフローチャートである。
【図１４】図１３における簡単操作機能プログラム３０Ａを構成する選択メモリ番号発信機能プログラム３０Ｂ、選択電話番号発信機能プログラム３０Ｄ、メモリ番号１０件選択機能プログラム３０Ｃ、電話番号１０件選択機能プログラム３０Ｅにより実行される一連の動作を説明するフローチャートである。
【符号の説明】
１０…キーボード
２０…メモリ
２０Ａ…メモリダイヤル
２０Ｂ…選択用メモリダイヤル
３０…プログラム用メモリ
３０Ａ…簡単操作機能プログラム
３０Ｂ…選択メモリ番号発信機能プログラム
３０Ｃ…メモリ番号１０件選択機能プログラム
３０Ｄ…選択電話番号発信機能プログラム
３０Ｅ…電話番号１０件選択機能プログラム
４０…制御部
４０Ａ…機能呼出部
５０…無線部
６０…表示部
【図１】
0003586642.tif 000002
【図２】
0003586642.tif 000003
【図３】
0003586642.tif 000004
【図４】
0003586642.tif 000005
【図５】
0003586642.tif 000006
【図６】
0003586642.tif 000007
【図７】
0003586642.tif 000008
【図８】
0003586642.tif 000009
【図９】
0003586642.tif 000010
【図１０】
0003586642.tif 000011
【図１１】
0003586642.tif 000012
【図１２】
0003586642.tif 000013
【図１３】
0003586642.tif 000014
【図１４】
0003586642.tif 000015